(57)【特許請求の範囲】
【請求項１】
蒸気発電機に関するもので、全体の構成は適宜サイズのボイラー用大型パイプを蒸気発生ボイラー部（１）とボイラー燃焼部（２）に切断分割、前述の蒸気発生ボイラー部（１）の大型パイプには、中に溶接された再加熱小パイプと排煙パイプを通し、同ボイラー部の上に蒸気溜り、安全弁を取り付け、この大型ボイラー用パイプの右端にフランジを溶接装着、更に、貫流式炉用小パイプを必要数圧着か溶接し取り付け、貫流式蒸気発生部とし一方、ボイラー燃焼部（２）の大型パイプは３重パイプとし、内側を大型炉筒直火蒸気発生用とし、外側パイプは温水ヒーター用として利用できる作りで、高温燃焼炉を２重水冷炉とし、左端にはフランジを溶接装着、右側が燃料口とした作りで、又、蒸気は（１）の蒸気発生ボイラー部と（２）のボイラー燃焼部の大型パイプの内側大型炉筒直火部の蒸気発生部の蒸気を合わせ、蒸気発生ボイラー部（１）のパイプの上の蒸気溜りでその蒸気を集め、蒸気溜りの上から再加熱小パイプを通じ、上部に装着された蒸気発電機のブレードに蒸気を放出し発電、更に、（２）のボイラー燃焼部の外側パイプを水冷炉とし、この水を温水として利用できる作りで、蒸気発生ボイラー部（１）と（２）のボイラー燃焼部に分割する事で装置全体を製作しやすく、その上蒸気発生ボイラー部（１）の貫流式蒸気と、ボイラー燃焼部（２）の大型炉筒パイプの両方で蒸気が発生できる複合蒸気発生方式とした事で、大幅に蒸気発生に量を増加し、蒸気発生の時間も短縮できる構造を特徴とする、複合ボイラー型バイオマス発電方法。
【請求項２】
（１）の蒸気発生ボイラー部の大型パイプは２重とし、その中に保温剤を入れ（１）ボイラー部の放熱を抑える作りとし、（１）蒸気発生ボイラー部の上の蒸気溜りから出る蒸気を（１）の蒸気発生ボイラー部の大型パイプの中の排煙パイプの中に炉用再加熱小パイプを往復させ、（２）のボイラー燃焼炉内でその再加熱小パイプを複数折り返し、再加熱蒸気が高温乾燥蒸気とし、排煙突の中を経由、発電用ブレードに放出発電するもので、この他に、軟水器、バイオマス自動供給装置、復水器を装着、特に（２）のボイラー燃焼部の大型パイプの３重パイプの内側大型炉筒パイプ上部は、上部を広くし三日月型でボイラー水位を高くしたもので、更に（１）のボイラー部と（２）の内側大型炉筒パイプの水を移動できる小パイプを３〜４本設け、ボイラー水を平均化できる作りで、又、（２）のボイラー燃焼部の炉内の通灰棚は上下移動できる作りで、バイオマスのサイズ不揃いでも焼却できるもので、特にこのボイラーを使用した発電機は横長型や縦型方式に特定するものではなく、全体を製作しやすく、又、設置工事、保守管理が容易でコンパクトな構造を特徴とする、請求項１記載の複合ボイラー型バイオマス発電方法。          
【発明の詳細な説明】
【技術分野】
【０００１】本願発明は、蒸気発電方法に関するもので、全体の構成は適宜サイズのボイラー用大型パイプを蒸気発生ボイラー部（１）とボイラー燃焼部（２）に切断分割、前述の蒸気発生ボイラー部（１）の大型パイプには、中に溶接された再加熱小パイプと排煙パイプを通し、同ボイラー部の上に蒸気溜り、安全弁を取り付け、この大型ボイラー用パイプの右端にフランジを溶接装着、更に、貫流式炉用小パイプを必要数圧着か溶接し取り付け、貫流式蒸気発生部とし一方、ボイラー燃焼部（２）の大型パイプは３重パイプとし、内側を大型炉筒直火蒸気発生用とし、外側パイプは温水ヒーター用として利用できる作りで、高温燃焼炉を２重水冷炉とし、左端にはフランジを溶接装着、右側が燃料口とした作りで、又、蒸気は（１）の蒸気発生ボイラー部と（２）のボイラー燃焼部の大型パイプの内側大型炉筒直火部の蒸気発生部の蒸気を合わせ、蒸気発生ボイラー部（１）のパイプの上の蒸気溜りでその蒸気を集め、蒸気溜りの上から再加熱小パイプを通じ、上部に装着された蒸気発電機のブレードに蒸気を放出し発電、更に、（２）のボイラー燃焼部の外側パイプを水冷炉とし、この水を温水として利用できる作りで、蒸気発生ボイラー部（１）と（２）のボイラー燃焼部に分割する事で装置全体を製作しやすく、その上蒸気発生ボイラー部（１）の貫流式蒸気と、ボイラー燃焼部（２）の大型炉筒パイプの両方で蒸気が発生できる複合蒸気発生方式とした事で、大幅に蒸気発生に量を増加し、蒸気発生の時間も短縮できる構造を特徴とする、複合ボイラー型バイオマス発電方法に関するものである。
【背景技術】
【０００２】
地球上において、現在全世界で工業用でも生活用においてでも、バイオマスエネルギーの利用度は、全エネルギー必要量の、平均して10％も利用されていない。
ここ数年はバイオ燃料は特に、石油の値段の上昇で見直され、主にアメリカ、オーストラリア、ブラジルの大型農産地では、食料用をエタノールの原料に回し、バイオ燃料の生産が活発化、その為食糧不足が問題視されている。
【０００３】
地球上には、食料用ではない木材、竹材、雑草、食用植物の廃材、建築用の廃材を含めて、人類が生活の為に必要とする熱エネルギーの3倍は、自然に生育しているとの統計もあり、これらを利用してボイラー温水給湯が安定利用でき、その上発電も十分利用できる装置を開発し、地域地域で利用できるバイオマスエネルギーの循環利用システムが構築できれば、石油、原子力の利用は不要で、風力、ソーラー発電は補助的に利用する程度でよく、クリーンエネルギーの確立で地球温暖化を防止の為にも開発が急務である。
【０００４】
従来から、蒸気式ボイラー発電機としては、大電力会社の設置運営する大型の火力発電機が主流であった。最近では、主に生ゴミを集めペレット化して燃焼する発電機も開発運営され、同時にボイラーや温水給湯の利用も併用された施設が建設されつつある。
【０００５】
しかし、前述の生ゴミのボイラーや温水給湯と発電機も基本は発電効率をあげるため、更には設備費のコスト低減を計る必要から、
（イ）  １基設置機の大型化で大資本金が必要。
（ロ）  大型化ゆえ、設置場所選定の困難さ。
（ハ）  広域より生ゴミを集める必要性あり。最近では広域市町村より、消費地から発電所まで遠距離が問題視され、又、地区での生ゴミの分別により生ゴミの量の減少もあり、発電所への生ゴミの持込みの量が、大幅に少なくなっている。発電焼却や温水給湯能力の大幅利用低下になっている。
【０００６】
この為、大型生ゴミ発電所の維持が困難となっており、一方、地域の市町村で生ゴミを焼却するのではなく、肥料や飼料化などへの転換利用なども生ゴミの焼却持込み量の減少の一因にもなっている。
【０００７】
従来型の生ゴミ焼却発電所は大半が高温熱化と発電設備の小型化のため、この生ゴミを高熱で熱して、急速乾燥し一定のサイズと重量に固定化した、ペレット(RDFとも言う)と称されるバイオマス燃料に改造してから発電用や温水給湯の焼却炉に投入されている。
【０００８】
このバイオ燃料のペレットは、硬く熱効率も良く、設備の小型化や管理人が小人数でよく、無人化などの長期間の利用コントロールが容易であるなどの利点もある。
【０００９】
しかしこのペレット燃料の発電機や温水給湯機の欠点としては、
（イ）  ペレット化する為の設備費や人件費がかかり、コスト高となる。
（ロ）  生ゴミや草などの、比較的ペレット化しやすい、軟質系のバイオ向き素材の利用で材木や竹などの硬質材は、ほとんど利用できない欠点がある。
【００１０】
更に、ペレットは一定の量とサイズに標準化されて、焼却の自動化はしやすいなどの利点も前述の通りであるが、木材や竹材などの硬質でサイズが大きい物や焼却材で建築廃材などサイズが不揃いな物の利用が出来ず、必ずペレット材に再加工が必要で経費もかかり、設備の大型化で各地の消費地近くにペレット用加工場と発電機及給湯の併設は困難が多く、小型で発電機設備を主力にした装置の開発が必要である。
【００１１】
これら、従来型のバイオ燃料発電機及ボイラー給湯機ではなく、
（イ）  森林の間伐材、竹材、建築廃材など20〜30センチのカット材や２ｍの長尺物でもそのまま焼却できる装置、
（ロ）  草、もみがら、のこくず、生ゴミ、竹、木材を含め、チップや（荒く2〜3センチにカットしたのみの物）ペレットも焼却できること、
（ハ）  全体装置は、小規模でスペースも少なく消費地近くで容易に設置でき、投下資金も小額で出来る事。
【００１２】
（ニ）  その上、効率のよい発電や温水給湯装置で、設置工事や定期点検、保守管理がしやすいこと。
【００１３】
前述した内容の排煙がクリーンな機械装置の開発で、小型でも消費地でバイオマスエネルギー利用の温水給湯や発電が年間を通じ利用できる装置が求められている。
【先行技術文献】
【特許文献】
【００１４】
【特許文献１】特開平８−５３００８の公報
【特許文献２】特願２００８−２８３２６５の公報
【特許文献３】特願２００５−１２７７２４の公報
【特許文献４】特願２００３−４１２９５４の公報
【特許文献５】特願２０００−２２０４５３の公報  これらの特許申請には、水力を利用したものが大半でソーラーとガス併用型や水道水、水洗トイレ用などで、小型で木質系草植物や生ゴミを利用した、２０〜３０センチや、又、２ｍの長尺サイズ自由の焼却が可能なバイオマス温水器付発電方法の開発はなされていない。
【００１５】
本発明は、この様な従来の方式や構成が有していた問題点を解決しようとするものであり、小規模で安価なボイラー温水器付及、発電装置を開発し提供する事を目的としたものである。
【発明の概要】
【発明が解決しようとする課題】
【００１６】
解決しようとする問題点は、
（イ）  早くボイラー温度が上がり、大量の蒸気になる方法はどうすれば良いか。又、製作や設置工事、保守、管理が容易な方法はないか。
（ロ）  間伐材が多い山間部の村でバイオマス温水器や発電機を利用したいが、当初の製作投資金を少なくして利用できる方法はないか。
（ハ）  バイオマスのペレットやチップの自動供給装置を利用し更に、適宜サイズの丸太や角材のカット程度で燃料として焼却できる装置はできないか。
【課題を解決するための手段】
【００１７】請求項１の発明は、蒸気発電方法に関するもので、全体の構成は適宜サイズのボイラー用大型パイプを蒸気発生ボイラー部（１）とボイラー燃焼部（２）に切断分割、前述の蒸気発生ボイラー部（１）の大型パイプには、中に溶接された再加熱小パイプと排煙パイプを通し、同ボイラー部の上に蒸気溜り、安全弁を取り付け、この大型ボイラー用パイプの右端にフランジを溶接装着、更に、貫流式炉用小パイプを必要数圧着か溶接し取り付け、貫流式蒸気発生部とし一方、ボイラー燃焼部（２）の大型パイプは３重パイプとし、内側を大型炉筒直火蒸気発生用とし、外側パイプは温水ヒーター用として利用できる作りで、高温燃焼炉を２重水冷炉とし、左端にはフランジを溶接装着、右側が燃料口とした作りで、又、蒸気は（１）の蒸気発生ボイラー部と（２）のボイラー燃焼部の大型パイプの内側大型炉筒直火部の蒸気発生部の蒸気を合わせ、蒸気発生ボイラー部（１）のパイプの上の蒸気溜りでその蒸気を集め、蒸気溜りの上から再加熱小パイプを通じ、上部に装着された蒸気発電機のブレードに蒸気を放出し発電、更に、（２）のボイラー燃焼部の外側パイプを水冷炉とし、この水を温水として利用できる作りで、蒸気発生ボイラー部（１）と（２）のボイラー燃焼部に分割する事で装置全体を製作しやすく、その上蒸気発生ボイラー部（１）の貫流式蒸気と、ボイラー燃焼部（２）の大型炉筒パイプの両方で蒸気が発生できる複合蒸気発生方式とした事で、大幅に蒸気発生に量を増加し、蒸気発生の時間も短縮できる構造を特徴とする、複合ボイラー型バイオマス発電方法を提供するものである。【００１８】請求項２の発明は、（１）の蒸気発生ボイラー部の大型パイプは２重とし、その中に保温剤を入れ（１）蒸気発生ボイラー部の放熱を抑える作りとし、（１）蒸気発生ボイラー部の上の蒸気溜りから出る蒸気を（１）の蒸気発生ボイラー部の大型パイプの中の排煙パイプの中に炉用再加熱小パイプを往復させ、（２）のボイラー燃焼炉内でその再加熱小パイプを複数折り返し、再加熱蒸気が高温乾燥蒸気とし、排煙突の中を経由、発電用ブレードに放出発電するもので、この他に、軟水器、バイオマス自動供給装置、復水器を装着、特に（２）のボイラー燃焼部の大型パイプの３重パイプの内側大型炉パイプ上部は、上部を広くし三日月型でボイラー水位を高くしたもので、更に（１）の蒸気発生ボイラー部と（２）の内側大型炉パイプの水を移動できる小パイプを３〜４本設け、ボイラー水を平均化できる作りで、又、（２）のボイラー燃焼部の炉内の通灰棚は上下移動できる作りで、バイオマスのサイズ不揃いでも焼却できるもので、特にこのボイラーを使用した発電機は横長型や縦型方式に特定するものではなく、全体を製作しやすく、又、設置工事、保守管理が容易でコンパクトな構造を特徴とする、請求項１記載の複合ボイラー型バイオマス発電方法を提供するものである。【００１９】
蒸気の発明作用は次の通りである。第１の発明では、装置全体の左前方を貫流式ボイラーとし、その中には排煙パイプを通した事でボイラー内の熱伝導が改善でき、又、ボイラー燃焼部にも全体を３重大型パイプとし内側を炉筒直火蒸気発生ボイラー部とした事で、大量の蒸気を短時間で得る作用が生じた。
【００２０】
第２の作用は、大量の蒸気を蒸気溜まりで集めた蒸気を、蒸気ボイラー内の排煙パイプ内と煙突を利用し通し再加熱した蒸気を、高温を維持したまま発電用蒸気ブレードに放出できるもので、蒸気のスピードを上げる作用がある。
【００２１】前述した本発明の複合ボイラー型バイオマス発電方法は、次の効果を発揮する。【００２２】
第１の発明効果は、
（イ）貫流ボイラーと炉筒直火ボイラーを複合併用した事で、バイオマスの熱量を十分利用でき、短時間でボイラー水が沸騰し高圧蒸気が大量に得られる。
（ロ）ボイラー内の水量を増加でき、ボイラー内の水位が急速に変化せず微増で上下するため、水位検査と自動供給が容易。
（ハ）蒸気量が増量できるため、蒸気放出ノズルが大型でき蒸気ブレードでの回転力を加速できる。
【００２３】
第２の発明の効果は
（イ）蒸気を再加熱する事で蒸気が乾燥蒸気となり、１Ｌの水が１,２００〜１,６００倍に増幅でき、少ない水で済み、蒸気の流速スピードが速くなる。
（ロ）したがって、蒸気ブレードに放出した時、ブレードのトラブルが少なく、ブレードの高速回転に適した乾燥蒸気となる。
（ハ）複合ボイラーは、熱吸収効果が良く、バイオマス使用量も少なくて済む。
（ニ）発電用に使用済の蒸気は温水ヒーター用に併用できる。
【００２４】
以上により、発明品の装置はペレット、チップでの自動化や、丸太、角材などの不揃いも
焼却でき、完全な独立電源や熱源装置として、ビニールハウス、野菜工場に電気と温水利
用を併用できるため循環利用として幅広い使用用途が可能で、バイオマスを燃料とする、
バイオマスが存在する地区でボイラー及温水併用蒸気発電機を利用しやすい、コンパクト
なデザインの装置を提供できる効果がある。
【００２５】
更に、貫流ボイラーと炉筒直火ボイラーの複合式で水冷式とし、フランジで一体化する構
造で安全性と製作コストも安価にでき、ボイラーの使用面積を少なくし設置工事、及、維
持管理もしやすく、ボイラーの長期安定利用を可能とし、又、ボイラーの燃焼部もペレット、チップ専用炉器とサイズ不揃いの丸太、角材を燃焼する炉器とを使い分け、それぞれのバイオマスの燃焼火災の高温化と放射効率のアップで、小型ボイラー全体の高性能化とバイオマス燃料量の使用少量化を発揮する事ができる。
【図面の簡単な説明】
【００２６】
【図１】本発明の実施例を示す複合ボイラー型バイオマス発電の方法
【図２】外観図（以下、本発明の実施例を示す文言を省略する）
【図３】右側面図
【図４】左側面図
【図５】背面斜視図
【図６】図２におけるＡ−Ａ線断面図
【図７】図４におけるＢ−Ｂ線断面図
【発明を実施するための形態】
【００２７】
前述の通り、従来のバイオマス蒸気発電機は、１機が固定式で大型装置が主流で、しかも、ペレット加工機、発電機、更に温水ヒーターと別々の構造で、装置が大がかりでバイオマスをトラックで各地より搬入し、主に家庭用生ゴミをＲＤＦ化して利用されるため、建物も大がかりで、設置場所も限定され、バイオマス発電の普及が遅れていた、これを改善するため、ペレット、チップ、丸太、角材、雑草などサイズが不揃いでも焼却できる構造を１機にまとめ、蒸気や温水量更に発電量は少ないが、バイオマス燃料が存在する場所やビニールハウス、野菜ハウス工場、産廃業者などで蒸気と温水、又、発電機として製作や設置、メンテナンスが容易で普及しやすいコンパクトなデザインにまとめた形態とした。
【００２８】
以下、本発明の実施の形態を試作機でテストし、結果を参考にして図１〜図７に基づいて説明する。
【００２９】
図１は、本発明の実施例を示す、復合ボイラー型バイオマス発電機の平面図である。
１は、ボイラー全体を設置する基礎ベースで転倒防止ボルトを使用、右上から説明すれば、２は温水タンクで冷却用水冷水が温水になるとこの温水タンクに送り貯蔵するが、テストでは８６度前後とかなり高温となり十分ヒート用に使用可能、３はボイラー間とのボイラー連結パイプで両サイド３〜４ヶ所設置水位のバランスを保つ事ができる。
【００３０】
図１の続きで、４は温水開放レバーで給排水に利用できるもので、５はバイオマス自動供給装置で数字が前後するが、１０はスパイラルスクリューモーターでバイオマス燃料を自動で送り、９は通灰棚を振動するモーターで一定時間毎に自動振動して炉内の灰を下へ落とす、元に戻り６は復水器で蒸気を温水に戻し、７は復水器へ蒸気を放出後、一部蒸気の圧力を逃がす蒸気放出口で、８は発電機室で発電に要する装置を格納する。
【００３１】
続いて図１の１１は、バイオマスが燃焼が悪いときに補助的に投入できる廃油タンクを貯蔵するタンクで、１２は高圧ポンプで復水器より温水を２１の蒸気ボイラー大型パイプへ戻すため、蒸気圧を上回る高圧ポンプを使用し、１７は蒸気圧力が異常となった時緊急で蒸気圧力を逃がし安全を守る、安全弁で2ヶ以上設置する。
【００３２】
図２は外観図で正面から見た図で、１４の煙突の下にある送風機２３で排煙を強制し、炉内の酸素を通りやすくし、燃焼がスムーズにでき、２４は蒸気の圧力計で、２５は発電機で、２６は水位計で大型ボイラーの水位を知る事ができ、水位計は２〜３ヶ所設け、２７は電気系統制御盤で、電流計、アンペア計、スイッチ等が入れられているもので、２８は高圧送りパイプで高圧ポンプから温水を蒸気ボイラー大型パイプへ圧水をするもので、２９はボイラー焼却部外側大型パイプで温水を沸かすもので、お湯は温水ヒーターに使用する。その他の数字３，５，６，９，１０，１４，１９，２１，２２，２３，２４，２５，２６は図１、図２の通りである。
【００３３】
図３は右側断面図で、３０はハシゴでメンテナンス時に使う、３１は給水口から水をタンクに入れるもので、３２はバイオマスのペレットで、３３は炉内ののぞ見窓で、３４は不揃いの丸太、木材の投入口で、３５は放水口で、３６は手スリ受け皿で、３８は自然通風口でファンなしで自然に炉の中に通風できる。その他の数字２，３，５，１０，２３は図１、図２の通りである。
【００３４】
図４は右側断面図で、３９は汚水放水口で、４０は再加熱パイプで再加熱パイプは出と入が煙突の中を通じ、再加熱パイプの温度が降下しないよう工夫したもので、４１はボイラー給水バルブでここから（１）の蒸気ボイラー大型パイプへの給水をする。
【００３５】
図５は、背面斜視図で２１の蒸気ボイラー大型パイプに、貫流式炉内小型パイプで多数を設け、更に、４０の加熱パイプは４２の蒸気ボイラー内排煙パイプの中を通り、（２）のボイラー燃焼部の上の方に数回折り曲げ設置、炉内のバイオマス火災４３が炉内全体を熱し、短時間で蒸気ボイラー大型パイプ内の蒸気が沸騰する。その他の数字２，５，９，１０，１２，１４，２１，２４は図１、図２、図３の通りである。
【００３６】
図６は、図２におけるＡ−Ａ線断面図で、４４は外側冷却タンクでこの中に入を注入し温水になればヒーター用に利用され、ここを４５の大型パイプ用フランジで保護され、その内側に４６の三日月ボイラータンクがあり、ここが大型３重パイプの作りに当たるもので、４６の三日月ボイラータンクは上部に水を多くためる役目と、４８の三日月内ボイラーの水位を一定にし、４６の三日月ボイラータンクの蒸気を多く作る事で、４７の三日月蒸気送りパイプで上の蒸気溜り１８に大量の蒸気を排出でき、空焚き防止と大型の炉筒直火ボイラー方式と、４３の貫流式ボイラーとの複合で、４３のバイオマス火災の熱エネルギーを有効に利用できる構造で、蒸気の発生の量と蒸気高温発生時間の大幅短縮の効果が得られた。その他の３，４，１８，１９，２３，２４，２９，３１，３５，３７，４０，４１，４２は図１、図２、図３、図４の通りである。
【００３７】
図７は、図４におけるＢ−Ｂ線断面図で、２１の大型ボイラーパイプの外側の４９は保温材でボイラーの冷却を防止、５０は補強丸鋼で複数ヶ所ボイラー内を補強、同ボイラーの圧力膨張を防止し、５１は４１の貫流式炉用小型パイプと再加熱パイプ４０の補強材で、更に、４６の三日月ボイラータンクと２１の蒸気ボイラー大型パイプの水位は、３のボイラー連結パイプで連結されており、４８の三日月ボイラー水位は２１のボイラー水位と同じで、大量の蒸気を発生させ水量も多いが、ボイラー熱の全体効率のアップで、短時間で高温となり蒸気を発生させ、安全で安定したボイラーの構造で、上部の１９の再加熱パイプからの蒸気で１３の蒸気ブレードを回転し、２５の発電機効率を大幅に改善し発電できた。その他の数字１４，１８，２３，４４，４５は図１，図２，図４，図５の通りである。
【産業上の利用可能性】
【００３８】
本願発明品の特徴としては、
（イ）バイオマス燃料の通常サイズであるチップやペレットが燃焼できる自動標準機から大型木材、建築廃材など形やサイズが不揃いの２０センチ〜２ｍの長さの燃料の利用できる大型機でも製作可。
（ロ）ボイラーが貫流パイプ式と、全体燃焼の大型炉筒直火方式の複合ボイラーで、安全、安定ボイラーで、蒸気発生量も多く、時間も少なくして、試作機で大幅に改善できた。
（ハ）フランジ型ボイラーは、炎の最適位置などの自動調整、設置工事と保守管理が容易で、高効率の温水器併用発電機の製作が可能。
以上の製品の用途としては、
（Ａ）山林地区の村や少人数の部落など、木材や竹材などの多発地区に発明品を置き、温水や電気の利用が出来る。
（Ｂ）離島の小規模部落や中規模町内でも利用でき、原木や食物植木や草など砂糖キビ、ひまわりの種や油、種を絞った後の茎やしぼりカスを燃焼することでお湯や電気を利用できる。
（Ｃ）建築廃材等の処理、製材所、家具や、木材業などに単体で設置でき、お湯と電気を供給できる。
（Ｄ）（Ａ）の山林地区で山林の間伐材や竹材などのバイオマスの燃料が多くできる地区では、軽度の身体障害者の方の労働の場の提供も可能で、安価なバイオマス燃料を他の地区の同燃料の消費地区へ提供する事で、相互の需要が安定化する事ができる。
（Ｅ）石油エネルギーはいろいろ便利で制御もしやすいが数十年で枯渇するため、再生可能エネルギーとしては、地球上に必ず生育する木材や各種植物を利用したバイオマスエネルギーの利用循環システムの構築は不可欠。
【００３９】
以上のように石油や変動する風力、水力を使用する事なく、地球上に年間を通じて生育する木、竹材、草、食用外植物、建築廃材をバイオマスエネルギーとして年間を通じ循環して利用でき、安定したお湯と発電が可能で、特にビニールハウスや野菜工場、魚介類のハウス内養殖に最適で、地球温暖化防止にも役立ち全国的にも需要拡大が見込まれ、産業上の利用効果も期待できる。
【符号の説明】
【００４０】
１．基礎ベース
２．温水タンク
３．ボイラー連結パイプ
４．温水開放レバー
５．バイオマス自動供給装置
６．復水器
７．蒸気放出口
８．発電機室
９．振動モーター
１０．スパイラルスクリューモーター
１１．廃油タンク
１２．高圧ポンプ
１３．蒸気ブレード
１４．煙突
１５．軟水器
１６．軟水貯水タンク
１７．安全弁
１８．蒸気溜り
１９．再加熱送りパイプ
２０．蒸気送りパイプ
２１．蒸気ボイラー大型パイプ
２２．メンテナンス口
２３．送風機
２４．圧力計
２５．発電機
２６．水位計
２７．制御盤
２８．高圧送りパイプ
２９．ボイラー焼却部外側大型パイプ
３０．ハシゴ
３１．給水口
３２．ペレット
３３．のぞ見マド
３４．バイオマス投入口
３５．放水バルブ
３６．手スリ
３７．灰受皿
３８．自然通風口
３９．汚水放水口
４０．再加熱パイプ
４１．ボイラー給水バルブ
４２．蒸気ボイラー内排煙パイプ
４３．バイオマス火炎
４４．貫流式炉用小型パイプ
４５．ボイラー内排煙パイプ
４６．バイオマス燃焼火災
４７．外側冷却タンク（温水）
４８．大型フランジ
４９．三日月ボイラータンク
５０．三日月蒸気送りパイプ
５１．三日月ボイラー水位
５２．保温材
５３．補強丸鋼
５４．パイプ補強材
５５．燃焼防止パイプ
５６．丸太角材割外パイプ
５７．鉾刃付ジャッキ
【図１】
0005558523.tif 000002
【図２】
0005558523.tif 000003
【図３】
0005558523.tif 000004
【図４】
0005558523.tif 000005
【図５】
0005558523.tif 000006
【図６】
0005558523.tif 000007
【図７】
0005558523.tif 000008